(57)【要約】【課題】  ＤＳＣ等のデジタル画像処理装置と記録装置とを情報伝送可能に接続したデジタル画像記録システムにおいて、記録実行操作時のユーザの利便性を向上させる。【解決手段】  デジタルカメラ３０２の表示部１３８に表示された「ＵＩ部」の切替画面等で（ＵＩ表示、切替操作問い合わせ）、「ＵＩ部」を使用する側の装置としてインクジェット式記録装置５０をユーザが指定すると、デジタルカメラ３０２は、インクジェット式記録装置５０へ「ＵＩ切替指示」を送信する。「ＵＩ切替指示」を受信したインクジェット式記録装置５０は、デジタルカメラ３０２内のデジタル画像データに基づく記録実行操作が可能な記録実行操作画面等を操作パネル３９に表示（ＵＩ表示）した後、「ＵＩ切替確認」をデジタルカメラ３０２へ送信する。「ＵＩ切替確認」を受信したデジタルカメラ３０２は、表示部１３８の表示を非表示（ＵＩ非表示）にする。【選択図】  図５
2006217133.tif 000002
【特許請求の範囲】
【請求項１】
ＵＩ部を有するデジタル画像処理装置と、ＵＩ部を有する記録装置とを備え、前記デジタル画像処理装置と前記記録装置とが相互に情報伝送可能に接続されて構成されたデジタル画像記録システムであって、
前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されている、ことを特徴としたデジタル画像記録システム。
【請求項２】
請求項１において、前記デジタル画像処理装置のＵＩ部又は前記記録装置のＵＩ部のいずれか一方を選択的に使用可能に構成されている、ことを特徴としたデジタル画像記録システム。
【請求項３】
請求項２において、前記デジタル画像処理装置のＵＩ部が使用可能な状態でＵＩ部の切替操作が行われると、前記デジタル画像処理装置は、ＵＩ切替要求を前記記録装置へ送信し、前記記録装置は、前記ＵＩ切替要求を受信した時点で自己のＵＩ部を使用可能にした後にＵＩ切替確認を前記デジタル画像処理装置へ送信し、前記デジタル画像処理装置は、前記ＵＩ切替確認を受信した時点で自己のＵＩ部を使用不可にし、
前記記録装置のＵＩ部が使用可能な状態でＵＩ部の切替操作が行われると、前記デジタル画像処理装置は、前記ＵＩ切替要求を前記記録装置へ送信し、前記記録装置は、前記ＵＩ切替要求を受信した時点で自己のＵＩ部を使用不可にした後に前記ＵＩ切替確認を前記デジタル画像処理装置へ送信し、前記デジタル画像処理装置は、前記ＵＩ切替確認を受信した時点で自己のＵＩ部を使用可能にする、ことを特徴としたデジタル画像記録システム。
【請求項４】
請求項２において、前記記録装置のＵＩ部が使用可能な状態でＵＩ部の切替操作が行われると、前記記録装置は、ＵＩ切替要求を前記デジタル画像処理装置へ送信し、前記デジタル画像処理装置は、前記ＵＩ切替要求を受信した時点で自己のＵＩ部を使用可能にした後にＵＩ切替確認を前記記録装置へ送信し、前記記録装置は、前記ＵＩ切替確認を受信した時点で自己のＵＩ部を使用不可にし、
前記デジタル画像処理装置のＵＩ部が使用可能な状態でＵＩ部の切替操作が行われると、前記記録装置は、前記ＵＩ切替要求を前記デジタル画像処理装置へ送信し、前記デジタル画像処理装置は、前記ＵＩ切替要求を受信した時点で自己のＵＩ部を使用不可にした後に前記ＵＩ切替確認を前記記録装置へ送信し、前記記録装置は、前記ＵＩ切替確認を受信した時点で自己のＵＩ部を使用可能にする、ことを特徴としたデジタル画像記録システム。
【請求項５】
請求項１〜４のいずれか１項において、前記記録装置のＵＩ部が使用可能な状態では、前記デジタル画像処理装置は、前記記録装置からの要求に応じてデジタル画像データの一覧情報又は指定されたデジタル画像データを前記記録装置へ送信し、
前記記録装置は、受信した前記一覧情報を自己のＵＩ部で表示し、表示した前記一覧情報の中からユーザが選択して記録実行操作をしたデジタル画像データの送信を前記デジタル画像処理装置へ要求し、要求に応じて前記デジタル画像処理装置から送信されたデジタル画像データに基づいて被記録材への記録を実行する、ことを特徴としたデジタル画像記録システム。
【請求項６】
ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記記録装置であって、
自己のＵＩ部が使用可能状態で前記デジタル画像処理装置からＵＩ切替要求を受信した場合には、自己のＵＩ部を使用不可にして前記デジタル画像処理装置へＵＩ切替確認を送信し、
自己のＵＩ部が使用不可状態で前記デジタル画像処理装置から前記ＵＩ切替要求を受信した場合には、自己のＵＩ部を使用可能にして前記デジタル画像処理装置へ前記ＵＩ切替確認を送信する、ことを特徴とした記録装置。
【請求項７】
請求項６において、自己のＵＩ部が使用可能な状態では、前記デジタル画像処理装置から受信したデジタル画像データの一覧情報を自己のＵＩ部で表示し、表示した前記一覧情報の中からユーザが選択して記録実行操作をしたデジタル画像データの送信を前記デジタル画像処理装置へ要求し、要求に応じて前記デジタル画像処理装置から送信されたデジタル画像データに基づいて被記録材への記録を実行する、ことを特徴とした記録装置。
【請求項８】
ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記デジタル画像処理装置であって、
自己のＵＩ部が使用可能状態でＵＩ部の切替操作が行われた際には、ＵＩ切替要求を前記記録装置へ送信し、前記記録装置からＵＩ切替確認を受信した時点で自己のＵＩ部を使用不可にし、
自己のＵＩ部が使用不可状態でＵＩ部の切替操作が行われた際には、前記ＵＩ切替要求を前記記録装置へ送信し、前記記録装置から前記ＵＩ切替確認を受信した時点で自己のＵＩ部を使用可能にする、ことを特徴としたデジタル画像処理装置。
【請求項９】
ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記記録装置の制御をコンピュータに実行させるための記録制御プログラムであって、
自己のＵＩ部が使用可能状態で前記デジタル画像処理装置からＵＩ切替要求を受信した場合には、自己のＵＩ部を使用不可にして前記デジタル画像処理装置へＵＩ切替確認を送信する手順と、
自己のＵＩ部が使用不可状態で前記デジタル画像処理装置から前記ＵＩ切替要求を受信した場合には、自己のＵＩ部を使用可能にして前記デジタル画像処理装置へ前記ＵＩ切替確認を送信する手順とを有する、ことを特徴とした記録制御プログラム。
【請求項１０】
ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記デジタル画像処理装置の制御をコンピュータに実行させるためのデジタル画像処理制御プログラムであって、
自己のＵＩ部が使用可能状態でＵＩ部の切替操作が行われた際には、ＵＩ切替要求を前記記録装置へ送信し、前記記録装置からＵＩ切替確認を受信した時点で自己のＵＩ部を使用不可にする手順と、
自己のＵＩ部が使用不可状態でＵＩ部の切替操作が行われた際には、前記ＵＩ切替要求を前記記録装置へ送信し、前記記録装置から前記ＵＩ切替確認を受信した時点で自己のＵＩ部を使用可能にする手順とを有する、ことを特徴としたデジタル画像処理制御プログラム。
【発明の詳細な説明】
【技術分野】
【０００１】
本発明は、ＵＩ部を有するデジタル画像処理装置と、ＵＩ部を有する記録装置とを備え、デジタル画像処理装置と記録装置とが相互に情報伝送可能に接続されて構成されたデジタル画像記録システムに関する。
【背景技術】
【０００２】
ケーブルや無線通信等でＤＳＣ（デジタル・スチル・カメラ）等のデジタル画像処理装置をインクジェットプリンタ等の記録装置に直接接続して、ＤＳＣ等から送信するデジタル画像データの被記録材（記録紙）への記録（プリント）を実行するいわゆるダイレクトプリント技術が公知である。パーソナルコンピュータ等の情報処理装置を介することなくデジタル写真のプリントが手軽に実行できるという利便性があり、このダイレクトプリント技術に対応するインクジェットプリンタやＤＳＣ等の電子機器が広く普及しつつある（例えば、特許文献１を参照）。
【０００３】
一般的なＤＳＣ等のデジタル画像処理装置は、液晶ディスプレイ等の表示部及び表示部の表示に基づいてデジタル画像の表示やデータ管理等の操作を行うための操作部を有するＵＩ（ユーザ・インタフェース）部を備えている。そして、ダイレクトプリント技術によるデジタル画像の記録を実行する際には、デジタル画像処理装置のＵＩ部からの操作によって記録実行操作を行うようになっているのが一般的である。具体的には、ユーザがデジタル画像処理装置の表示部にサムネイル画像の一覧を表示させ、デジタル画像処理装置の操作部の操作によってサムネイル画像の一覧から所望のデジタル画像を選択して記録実行操作を行うようになっている。選択されたサムネイル画像のデジタル画像データが記録装置へ送信されて被記録材への記録が実行される。
【０００４】
【特許文献１】特開２００４−１３３５０号公報
【発明の開示】
【発明が解決しようとする課題】
【０００５】
ところで、近年、スキャナやコピー機能を備えた複合型の記録装置が急速に普及しつつある。また、メモリカードスロット等の読み取り手段を備え、デジタル画像データをメモリカードから直接読み込んで被記録材への記録を実行可能な記録装置も一般的になっている。そのため、パーソナルコンピュータやＤＳＣ等の情報処理装置を接続することなく、記録装置単体で被記録材への記録を実行する用途が増加しつつある。そして、それに伴って、一般的なＤＳＣに搭載されている液晶ディスプレイより大きな液晶ディスプレイを表示部に採用した見易く使い勝手の良いＵＩ部を備えた記録装置が一般的になりつつある。すなわち、従来は、機能性、操作性及びデジタル画像表示の大きさや解像度等の面でＤＳＣのＵＩ部より劣っていた記録装置のＵＩ部は、近年は、ＤＳＣと同等或いは同等以上の機能性、操作性及びデジタル画像表示の大きさや解像度を備えるようになりつつある。
【０００６】
しかしながら、従来のデジタル画像記録システムは、ＤＳＣと記録装置とを情報伝送可能に接続して記録を実行する際には、ＤＳＣのＵＩ部からしか記録実行操作ができない。そのため、記録装置がＤＳＣに勝るＵＩ部を備えていながら、そのＵＩ部を利用できないという不便さがあった。また、より使い慣れた或いは好みで使いやすいと感じるＵＩ部を利用したいと考えるユーザも多い。ＤＳＣの使用頻度の高いユーザにしてみれば、操作し慣れたＤＳＣのＵＩ部を操作して記録を実行したいと考えるであろうし、普段あまりＤＳＣを利用しないユーザにしてみれば、ＤＳＣより見易く使い勝手の良い記録装置のＵＩ部を操作して記録を実行したいと考えるのが通常である。
【０００７】
本発明は、このような状況に鑑み成されたものであり、その課題は、ＤＳＣ等のデジタル画像処理装置と記録装置とを情報伝送可能に接続したデジタル画像記録システムにおいて、記録実行操作時のユーザの利便性を向上させることにある。
【課題を解決するための手段】
【０００８】
上記課題を達成するため、本発明の第１の態様は、ＵＩ部を有するデジタル画像処理装置と、ＵＩ部を有する記録装置とを備え、前記デジタル画像処理装置と前記記録装置とが相互に情報伝送可能に接続されて構成されたデジタル画像記録システムであって、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されている、ことを特徴としたデジタル画像記録システムである。
【０００９】
このように、ユーザが任意に選択した装置側のＵＩ部にて、デジタル画像処理装置内のデジタル画像データの中から任意のデジタル画像データを選択する操作と、選択したデジタル画像データに基づいて記録装置にて被記録材への記録を実行する操作とを行うことができるので、ユーザは使い慣れた或いは好みで使いやすいと感じる方のＵＩ部を操作して被記録材へのデジタル画像の記録を実行することができる。  
また、記録を実行しようとしているデジタル画像データの種類や解像度、デジタル画像処理装置に保存されているデジタル画像データの数、或いは記録実行時の環境条件等に応じて臨機応変に使い分けるといったことも可能になる。  
さらには、デジタル画像処理装置又は記録装置のいずれか一方のＵＩ部に故障等の不具合が発生した場合には、正常な方のＵＩ部を選択して記録を実行することができる。  
さらには、デジタル画像処理装置がバッテリ駆動である場合には、記録装置のＵＩ部を選択して使用することにより、デジタル画像処理装置のバッテリ消費を抑えて長持ちさせるといったことも可能になる。
【００１０】
これにより、本発明の第１の態様に記載のデジタル画像記録システムによれば、ＤＳＣ等のデジタル画像処理装置と記録装置とを情報伝送可能に接続したデジタル画像記録システムにおいて、上述したように、記録実行操作時のユーザの利便性を向上させることができるという作用効果が得られる。
【００１１】
本発明の第２の態様は、前述した第１の態様において、前記デジタル画像処理装置のＵＩ部又は前記記録装置のＵＩ部のいずれか一方を選択的に使用可能に構成されている、ことを特徴としたデジタル画像記録システムである。  
このように、いずれか一方を選択的に使用可能にするように構成しても良い。両方のＵＩ部をリンクさせる必要等がなくなるため、ＵＩ部の処理を簡略化することができる。
【００１２】
本発明の第３の態様は、前述した第２の態様において、前記デジタル画像処理装置のＵＩ部が使用可能な状態でＵＩ部の切替操作が行われると、前記デジタル画像処理装置は、ＵＩ切替要求を前記記録装置へ送信し、前記記録装置は、前記ＵＩ切替要求を受信した時点で自己のＵＩ部を使用可能にした後にＵＩ切替確認を前記デジタル画像処理装置へ送信し、前記デジタル画像処理装置は、前記ＵＩ切替確認を受信した時点で自己のＵＩ部を使用不可にし、前記記録装置のＵＩ部が使用可能な状態でＵＩ部の切替操作が行われると、前記デジタル画像処理装置は、前記ＵＩ切替要求を前記記録装置へ送信し、前記記録装置は、前記ＵＩ切替要求を受信した時点で自己のＵＩ部を使用不可にした後に前記ＵＩ切替確認を前記デジタル画像処理装置へ送信し、前記デジタル画像処理装置は、前記ＵＩ切替確認を受信した時点で自己のＵＩ部を使用可能にする、ことを特徴としたデジタル画像記録システムである。
【００１３】
ＵＩ部の切替操作をすると、デジタル画像処理装置から記録装置へＵＩ切替要求が送信される。記録装置は、デジタル画像処理装置からのＵＩ切替要求に応じて、自己のＵＩ部の使用可能／不可を切り替えた後、ＵＩ切替確認をデジタル画像処理装置へ送信する。デジタル画像処理装置は、記録装置からのＵＩ切替確認を受信した後、自己のＵＩ部の使用可能／不可を切り替える。このように、記録装置からのＵＩ切替確認を受信してからデジタル画像処理装置のＵＩ部の使用可能／不可を切り替えることによって、記録装置のＵＩ部とデジタル画像処理装置のＵＩ部との双方が同時に使用可能或いは同時に使用不可になってしまうことを防止することができる。
【００１４】
本発明の第４の態様は、前述した第２の態様において、前記記録装置のＵＩ部が使用可能な状態でＵＩ部の切替操作が行われると、前記記録装置は、ＵＩ切替要求を前記デジタル画像処理装置へ送信し、前記デジタル画像処理装置は、前記ＵＩ切替要求を受信した時点で自己のＵＩ部を使用可能にした後にＵＩ切替確認を前記記録装置へ送信し、前記記録装置は、前記ＵＩ切替確認を受信した時点で自己のＵＩ部を使用不可にし、前記デジタル画像処理装置のＵＩ部が使用可能な状態でＵＩ部の切替操作が行われると、前記記録装置は、前記ＵＩ切替要求を前記デジタル画像処理装置へ送信し、前記デジタル画像処理装置は、前記ＵＩ切替要求を受信した時点で自己のＵＩ部を使用不可にした後に前記ＵＩ切替確認を前記記録装置へ送信し、前記記録装置は、前記ＵＩ切替確認を受信した時点で自己のＵＩ部を使用可能にする、ことを特徴としたデジタル画像記録システムである。
【００１５】
ＵＩ部の切替操作をすると、記録装置からデジタル画像処理装置へＵＩ切替要求が送信される。デジタル画像処理装置は、記録装置からのＵＩ切替要求に応じて、自己のＵＩ部の使用可能／不可を切り替えた後、ＵＩ切替確認を記録装置へ送信する。記録装置は、デジタル画像処理装置からのＵＩ切替確認を受信した後、自己のＵＩ部の使用可能／不可を切り替える。このように、デジタル画像処理装置からのＵＩ切替確認を受信してから記録装置のＵＩ部の使用可能／不可を切り替えることによって、記録装置のＵＩ部とデジタル画像処理装置のＵＩ部との双方が同時に使用可能或いは同時に使用不可になってしまうことを防止することができる。
【００１６】
本発明の第５の態様は、前述した第１の態様〜第４の態様のいずれかにおいて、前記記録装置のＵＩ部が使用可能な状態では、前記デジタル画像処理装置は、前記記録装置からの要求に応じてデジタル画像データの一覧情報又は指定されたデジタル画像データを前記記録装置へ送信し、前記記録装置は、受信した前記一覧情報を自己のＵＩ部で表示し、表示した前記一覧情報の中からユーザが選択して記録実行操作をしたデジタル画像データの送信を前記デジタル画像処理装置へ要求し、要求に応じて前記デジタル画像処理装置から送信されたデジタル画像データに基づいて被記録材への記録を実行する、ことを特徴としたデジタル画像記録システムである。
【００１７】
このように、記録装置のＵＩ部が使用可能な状態では、デジタル画像処理装置からデジタル画像データの一覧情報を送信することによって、記録装置のＵＩ部で一覧情報（例えばサムネイル画像の一覧等）を表示することができるとともに、その中からユーザが所望のデジタル画像を選択することが可能になる。そして、記録装置のＵＩ部でユーザが選択して記録実行操作を行ったデジタル画像のデータを記録装置からの要求に応じてデジタル画像処理装置から記録装置へ送信する。それによって、ユーザが選択した所望のデジタル画像を被記録材へ記録することを記録装置のＵＩ部の操作で行うことができる。
【００１８】
本発明の第６の態様は、ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記記録装置であって、自己のＵＩ部が使用可能状態で前記デジタル画像処理装置からＵＩ切替要求を受信した場合には、自己のＵＩ部を使用不可にして前記デジタル画像処理装置へＵＩ切替確認を送信し、自己のＵＩ部が使用不可状態で前記デジタル画像処理装置から前記ＵＩ切替要求を受信した場合には、自己のＵＩ部を使用可能にして前記デジタル画像処理装置へ前記ＵＩ切替確認を送信する、ことを特徴とした記録装置である。  
本発明の第６の態様に記載の記録装置によれば、当該記録装置を備えたデジタル画像記録システムに、前述した第３の態様に記載の発明と同様の作用効果をもたらすことができる。
【００１９】
本発明の第７の態様は、前述した第６の態様において、自己のＵＩ部が使用可能な状態では、前記デジタル画像処理装置から受信したデジタル画像データの一覧情報を自己のＵＩ部で表示し、表示した前記一覧情報の中からユーザが選択して記録実行操作をしたデジタル画像データの送信を前記デジタル画像処理装置へ要求し、要求に応じて前記デジタル画像処理装置から送信されたデジタル画像データに基づいて被記録材への記録を実行する、ことを特徴とした記録装置である。  
本発明の第７の態様に記載の記録装置によれば、当該記録装置を備えたデジタル画像記録システムに、前述した第５の態様に記載の発明と同様の作用効果をもたらすことができる。
【００２０】
本発明の第８の態様は、ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記デジタル画像処理装置であって、自己のＵＩ部が使用可能状態でＵＩ部の切替操作が行われた際には、ＵＩ切替要求を前記記録装置へ送信し、前記記録装置からＵＩ切替確認を受信した時点で自己のＵＩ部を使用不可にし、自己のＵＩ部が使用不可状態でＵＩ部の切替操作が行われた際には、前記ＵＩ切替要求を前記記録装置へ送信し、前記記録装置から前記ＵＩ切替確認を受信した時点で自己のＵＩ部を使用可能にする、ことを特徴としたデジタル画像処理装置である。  
本発明の第８の態様に記載のデジタル画像処理装置によれば、当該デジタル画像処理装置を備えたデジタル画像記録システムに、前述した第３の態様に記載の発明と同様の作用効果をもたらすことができる。
【００２１】
本発明の第９の態様は、ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記記録装置の制御をコンピュータに実行させるための記録制御プログラムであって、自己のＵＩ部が使用可能状態で前記デジタル画像処理装置からＵＩ切替要求を受信した場合には、自己のＵＩ部を使用不可にして前記デジタル画像処理装置へＵＩ切替確認を送信する手順と、自己のＵＩ部が使用不可状態で前記デジタル画像処理装置から前記ＵＩ切替要求を受信した場合には、自己のＵＩ部を使用可能にして前記デジタル画像処理装置へ前記ＵＩ切替確認を送信する手順とを有する、ことを特徴とした記録制御プログラムである。  
本発明の第９の態様に記載の記録制御プログラムによれば、この記録制御プログラムを実行可能な任意の記録装置に、前述した第６の態様に記載の発明と同様の作用効果をもたらすことができる。
【００２２】
本発明の第１０の態様は、ＵＩ部を有するデジタル画像処理装置と、ＵＩ部を有する記録装置とを備え、前記デジタル画像処理装置と前記記録装置とが相互に情報伝送可能に接続されて構成され、前記デジタル画像処理装置内のデジタル画像データの中から任意のデジタル画像データを選択する操作と、選択したデジタル画像データに基づいて前記記録装置にて被記録材への記録を実行する操作とが、ユーザが任意に選択した装置側のＵＩ部で操作可能に構成されたデジタル画像記録システムにおける前記デジタル画像処理装置の制御をコンピュータに実行させるためのデジタル画像処理制御プログラムであって、自己のＵＩ部が使用可能状態でＵＩ部の切替操作が行われた際には、ＵＩ切替要求を前記記録装置へ送信し、前記記録装置からＵＩ切替確認を受信した時点で自己のＵＩ部を使用不可にする手順と、自己のＵＩ部が使用不可状態でＵＩ部の切替操作が行われた際には、前記ＵＩ切替要求を前記記録装置へ送信し、前記記録装置から前記ＵＩ切替確認を受信した時点で自己のＵＩ部を使用可能にする手順とを有する、ことを特徴としたデジタル画像処理制御プログラムである。  
本発明の第１０の態様に記載のデジタル画像処理制御プログラムによれば、このデジタル画像処理制御プログラムを実行可能な任意のデジタル画像処理装置に、前述した第８の態様に記載の発明と同様の作用効果をもたらすことができる。
【発明を実施するための最良の形態】
【００２３】
以下、本発明の実施の形態を図面に基づいて説明する。  
まず、本発明に係る「記録装置」の一例としてのインクジェット式記録装置の概略構成について説明する。
【００２４】
図１は、本発明に係るインクジェット式記録装置の要部平面図であり、図２はその側面図である。図３は、本発明に係るインクジェット式記録装置と「情報処理装置」とで構成される記録システムの概略のブロック図である。  
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。  
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２５】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、その外周面の摩擦抵抗によって搬送駆動ローラ５３の外周面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２６】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた給紙ローラ５７ｂ及び図示してない分離パッドを有する自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００２７】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。  
そして、給紙ローラ５７ｂや搬送駆動ローラ５３、及び排紙駆動ローラ５５を回転駆動するＰＦモータ５８（図３）、並びにキャリッジ６１を主走査方向に駆動するＣＲモータ６３（図３）は、後述する記録制御部１００により駆動制御される。また、記録ヘッド６２も同様に、記録制御部１００により駆動制御されて記録紙Ｐの表面にインクを噴射する。インクジェット式記録装置５０は、記録制御部１００によって、キャリッジ６１を主走査方向Ｘへ往復動させながら記録ヘッド６２から記録紙Ｐへインクを噴射する動作と、記録紙Ｐを副走査方向Ｙへ所定の搬送量で搬送する動作とを交互に繰り返しながら記録紙Ｐへの記録が実行される。
【００２８】
引き続き図１〜図３を参照しながらインクジェット式記録装置５０と「情報処理装置」とで構成される記録システム１０、並びに「記録制御装置」としての記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、「記録実行手段」による記録紙Ｐへの記録開始操作をするための記録操作スイッチ３６、及び「設定入力手段」としての操作パネル３９の出力信号が入力される。
【００２９】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００３０】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び終端位置を検出し、その検出信号は、ＡＳＩＣ１０３を介してＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号は、ＡＳＩＣ１０３を介してＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３１】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行する為の演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３２】
ＡＳＩＣ１０３は、「情報処理装置」としてのパーソナルコンピュータ３０１、デジタルカメラ３０２或いは携帯電話端末３０３等との情報伝送を実現する「情報伝送手段」としてカードＩＦ１１１、ホストＩＦ１１２及びデバイスＩＦ１１３を有している。  
カードＩＦ１１１は、「画像データ読込手段」としてのカードスロット２００に挿入される不揮発性メモリカードやＰＣカード等のカードインタフェースを実現する。カードスロット２００にメモリカードが挿入された場合には、メモリカードのデータの読み書きを可能にし、カードスロット２００に赤外線通信インタフェースカードが挿入された場合には、「デジタル画像処理装置」としての携帯電話端末３０３等の赤外線通信機能を有する電子機器との赤外線通信インタフェースを実現する。  
ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。  
デバイスＩＦ１１３は、デバイス接続用のＵＳＢコネクタ３８に接続される「デジタル画像処理装置」としてのデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００３３】
つづいて、本発明に係る「デジタル画像記録システム」としての記録システム１０について説明する。
【００３４】
図４は、インクジェット式記録装置５０とデジタルカメラ３０２とで構成される記録システム１０を示した概略の電源系統図である。  
「デジタル画像処理装置」としてのデジタルカメラ３０２は、「デジタル画像処理装置用電池」としてのＤＳＣバッテリ１３１を電源として動作するとともに、「外部電源」からの電源供給（ＤＣ５Ｖ）でも動作する。「電池残量検出手段」としてのＤＳＣバッテリ残量検出手段１３２は、ＤＳＣバッテリ１３１の電力残量を検出してＤＳＣ制御部１３０へ出力する。ＤＳＣ外部電源入力検出手段１３３は、外部電源入力の有無を検出してＤＳＣ制御部１３０へ出力する。ＤＳＣバッテリ１３１又は外部電源から供給される電力は、ＤＣモータ等の駆動力源及びＤＳＣ制御部１３０へ供給される。不揮発性メモリ等で構成される画像データ記憶部１３６には、ユーザが撮影したデジタル画像データが格納されている。
【００３５】
デジタルカメラ３０２は、「デジタル画像処理装置のＵＩ部」としての操作部１３７及び表示部１３８を有している。画像データ処理部１３５を介して操作部１３７での画像選択操作で選択されたデジタル画像データは、表示部１３８に表示され、記録実行操作により選択されたデジタル画像データがＵＳＢインタフェース１３４を介してインクジェット式記録装置５０へ送信される。インクジェット記録装置５０は、「情報伝送手段」としてのデバイスＩＦ１１３を介してデジタルカメラ３０２と相互に情報伝送可能にＵＳＢ接続されており、デジタルカメラ３０２から送信されたデジタル画像データに基づいて、記録紙Ｐへの記録を実行する。
【００３６】
インクジェット式記録装置５０は、「記録装置用電池」としてのプリンタバッテリ１２１を電源として動作するとともに、「外部電源」からの電源供給（ＤＣ２０Ｖ）でも動作する。「電池残量検出手段」としてのプリンタバッテリ残量検出手段１２２は、プリンタバッテリ１２１の電力残量を検出して記録制御部１００へ出力する。プリンタ外部電源入力検出手段１２３は、外部電源入力の有無を検出して記録制御部１００へ出力する。プリンタバッテリ１２１又は外部電源から供給される電力は、ＰＦモータ５８やＣＲモータ６３等の駆動力源へ供給されるとともに、ＤＣ−ＤＣコンバータ１２４で電圧変換（ＤＣ２０Ｖ→ＤＣ５Ｖ）された電力が記録制御部１００へ供給される。また、前述した操作パネル３９は、インクジェット式記録装置５０における「記録装置のＵＩ部」として機能する。
【００３７】
そして、上記構成を有する本発明に係る「デジタル画像記録システム」としての記録システム１０は、デジタルカメラ３０２内のデジタル画像データの中から任意のデジタル画像データを選択する操作と、選択したデジタル画像データに基づいてインクジェット式記録装置５０にて記録紙Ｐへの記録を実行する操作とが、ユーザが任意に選択した装置側の「ＵＩ部」で操作可能に構成されている。すなわち、これらの操作は、デジタルカメラ３０２の操作部１３７及び表示部１３８、又はインクジェット式記録装置５０の操作パネル３９のどちらを操作して行うかをユーザが任意に選択することができるように構成されている。
【００３８】
具体的には、デジタルカメラ３０２は、操作部１３７の操作によって「ＵＩ表示切替操作」をユーザが任意に選択するための選択画面（選択メニュー等）を表示部１３８に表示させることが可能に構成されている。ユーザは、表示部１３８に表示された選択画面を見ながら操作部１３７を操作して、デジタルカメラ３０２の「ＵＩ部」（操作部１３７及び操作部１３８）から記録実行操作を行うか、インクジェット式記録装置５０の「ＵＩ部」（操作パネル３９）から記録実行操作を行うかを選択して切り替えることができる。以下、図５〜図８を参照しながら説明する。
【００３９】
図５は、インクジェット式記録装置５０とデジタルカメラ３０２との間におけるデジタル画像データのデータ転送手順を示したものであり、使用する「ＵＩ部」をデジタルカメラ３０２からインクジェット式記録装置５０へ切り替える場合を示したものである。  
デジタルカメラ３０２の表示部１３８に表示された「ＵＩ部」の切替画面等で（ＵＩ表示、切替操作問い合わせ）、「ＵＩ部」を使用する側の装置としてインクジェット式記録装置５０をユーザが指定すると、デジタルカメラ３０２は、インクジェット式記録装置５０へ「ＵＩ切替指示」を送信する。「ＵＩ切替指示」を受信したインクジェット式記録装置５０は、デジタルカメラ３０２内のデジタル画像データに基づく記録実行操作が可能な記録実行操作画面等を操作パネル３９に表示（ＵＩ表示）した後、「ＵＩ切替確認」をデジタルカメラ３０２へ送信する。「ＵＩ切替確認」を受信したデジタルカメラ３０２は、表示部１３８の表示を非表示（ＵＩ非表示）にする。尚、当該実施例においては、初期設定でデジタルカメラ３０２の「ＵＩ部」を使用するように設定されているが、インクジェット式記録装置５０の「ＵＩ部」に設定しても良い。
【００４０】
インクジェット式記録装置５０は、操作パネル３９におけるユーザの操作に応じて画像リストの送信要求をデジタルカメラ３０２へ送信する（画像リスト送信要求）。画像リスト送信要求を受信したデジタルカメラ３０２は、その要求に応じてデジタル画像データの画像リスト情報等をインクジェット式記録装置５０へ送信する。画像リスト情報等を受信したインクジェット式記録装置５０は、受信した画像リスト情報等に基づいて、デジタル画像データのファイル名一覧やサムネイル画像一覧等を操作パネル３９に表示する（画像表示）。
【００４１】
インクジェット式記録装置５０は、デジタル画像データのファイル名一覧やサムネイル画像一覧等からユーザが所望のデジタル画像を選択して（画像選択）、そのデジタル画像の記録実行操作を行うと（記録実行操作）、そのデジタル画像のデジタル画像データの送信要求をデジタルカメラ３０２へ送信する（画像データ送信要求）。画像データ送信要求を受信したデジタルカメラ３０２は、ユーザが選択したデジタル画像データをインクジェット式記録装置５０へ送信する。ユーザが選択したデジタル画像データを受信したインクジェット式記録装置５０は、そのデジタル画像データに基づいて記録紙Ｐへの記録を実行する（記録実行）。
【００４２】
図６は、インクジェット式記録装置５０とデジタルカメラ３０２との間におけるデジタル画像データのデータ転送手順を示したものであり、使用する「ＵＩ部」をインクジェット式記録装置５０からデジタルカメラ３０２へ切り替える場合を示したものである。  
デジタルカメラ３０２の表示部１３８に表示された「ＵＩ部」の切替画面等で（ＵＩ表示、切替操作問い合わせ）、「ＵＩ部」を使用する側の装置としてデジタルカメラ３０２をユーザが指定すると、デジタルカメラ３０２は、インクジェット式記録装置５０へ「ＵＩ切替指示」を送信する。「ＵＩ切替指示」を受信したインクジェット式記録装置５０は、操作パネル３９の表示を非表示（ＵＩ非表示）にした後、「ＵＩ切替確認」をデジタルカメラ３０２へ送信する。「ＵＩ切替確認」を受信したデジタルカメラ３０２は、デジタルカメラ３０２内のデジタル画像データに基づく記録実行操作が可能な記録実行操作画面等を表示部１３８に表示（ＵＩ表示）する。
【００４３】
デジタルカメラ３０２は、操作部１３７におけるユーザの操作に応じてデジタル画像データのファイル名一覧やサムネイル画像一覧等を表示部１３８に表示する（画像表示）。デジタルカメラ３０２は、表示部１３８に表示されているデジタル画像データのファイル名一覧やサムネイル画像一覧等からユーザが所望のデジタル画像を操作部１３７の操作により選択して（画像選択）、そのデジタル画像の記録実行操作を行うと（記録実行操作）、そのデジタル画像の「記録実行要求」をインクジェット式記録装置５０へ送信する。「記録実行要求」を受信したインクジェット式記録装置５０は、そのデジタル画像のデジタル画像データの送信要求をデジタルカメラ３０２へ送信する（画像データ送信要求）。画像データ送信要求を受信したデジタルカメラ３０２は、ユーザが選択したデジタル画像データをインクジェット式記録装置５０へ送信する。ユーザが選択したデジタル画像データを受信したインクジェット式記録装置５０は、そのデジタル画像データに基づいて記録紙Ｐへの記録を実行する（記録実行）。
【００４４】
図７は、ＤＳＣ制御部１３０によるデジタルカメラ３０２の制御手順を示したフローチャートである。  
デジタルカメラ３０２の電源ＯＮ操作がされると初期立ち上げ処理手順が実行された後、デジタルカメラ３０２が使用可能な状態となる（ステップＳ１）。デジタル画像を記録紙Ｐへ記録する操作を行う「ＵＩ部」は、初期設定でデジタルカメラ３０２の「ＵＩ部」（操作部１３７及び表示部１３８）に設定されている。ユーザが所望のデジタル画像の記録を実行すべく操作部１３７で所定の操作を行うと（ステップＳ２）、使用する「ＵＩ部」を切り替えるための画面（ＵＩ表示切替画面）が表示部１３８に表示される（ステップＳ３）。ユーザは、操作部１３７の操作によって、デジタルカメラ３０２の「ＵＩ部」（操作部１３７及び表示部１３８）又はインクジェット式記録装置５０の「ＵＩ部」（操作パネル３９）のいずれを使用して記録実行操作を行うかを任意に選択することができる。
【００４５】
つづいて、ユーザが記録実行操作を行う装置として選択したのがインクジェット式記録装置５０か否かを判定する（ステップＳ４）。ユーザがデジタルカメラ３０２でそのまま記録実行操作をすること（操作部１３７及び表示部１３８を操作して記録実行操作すること）を選択した場合には（ステップＳ４でＮｏ）、そのまま記録設定画面へ移行する（ステップＳ５）。そして、表示部１３８に表示されたデジタル画像データのファイル名一覧やサムネイル画像一覧等（記録設定画面）から操作部１３７の操作によってユーザが指定したデジタル画像のデジタル画像データをインクジェット式記録装置５０へ送信して記録紙Ｐへの記録（ステップＳ６）をユーザが指定した枚数分だけ実行し（ステップＳ７）、全ての記録が終了した時点で（ステップＳ７でＹｅｓ）当該手順を終了する。
【００４６】
一方、ユーザがインクジェット式記録装置５０へ切り替えて記録実行操作をすること（操作パネル３９を操作して記録実行操作すること）を選択した場合には（ステップＳ４でＹｅｓ）、ＵＩ切替指示をインクジェット式記録装置５０へ送信する（ステップＳ８）。所定の手順（図６）を経て、「ＵＩ部」を使用する装置がデジタルカメラ３０２からインクジェット式記録装置５０へ切り替わる。そして、インクジェット式記録装置５０の操作パネル３９の記録実行操作によってインクジェット式記録装置５０から送信される画像リスト及びデジタル画像データ等の送信要求に応じて画像リスト及びデジタル画像データ等をインクジェット式記録装置５０へ送信する（ステップＳ９）。インクジェット式記録装置５０から記録終了通知を受信した時点で（ステップＳ１０でＹｅｓ）当該手順を終了する。
【００４７】
図８は、記録制御部１００によるインクジェット式記録装置５０の制御手順を示したフローチャートである。  
インクジェット式記録装置５０の電源ＯＮ操作がされると初期立ち上げ処理手順が実行された後、インクジェット式記録装置５０が使用可能な状態となる（ステップＳ１１）。つづいて、「ＵＩ切替指示」をデジタルカメラ３０２から受信したか否かを判定する（ステップＳ１２）。「ＵＩ切替指示」を受信した場合には（ステップＳ１２でＹｅｓ）、所定の手順（図６）を経て、「ＵＩ部」を使用する装置がデジタルカメラ３０２からインクジェット式記録装置５０へ切り替わった後、デジタル画像データのファイル名一覧やサムネイル画像一覧等（記録設定画面）を操作パネル３９に表示する（ステップＳ１３）。そして、ユーザによるインクジェット式記録装置５０の操作パネル３９の記録実行操作に応じて画像リスト及びデジタル画像データ等の送信要求をデジタルカメラ３０２へ送信する（ステップＳ１４）。ユーザが指定したデジタル画像のデジタル画像データをデジタルカメラ３０２から取得し（ステップＳ１５）、ユーザが指定した枚数分だけ記録紙Ｐへの記録を実行する（ステップＳ１６）。全ての記録が終了した時点で（ステップＳ１７でＹｅｓ）当該手順を終了する。
【００４８】
一方、デジタルカメラ３０２から「ＵＩ切替指示」を受信していない場合には（ステップＳ１２でＮｏ）、デジタルカメラ３０２から「記録終了通知」を受信したか否かを判定する（ステップＳ１８）。デジタルカメラ３０２から「記録終了通知」を受信していない場合には（ステップＳ１８でＮｏ）、デジタルカメラ３０２から「記録実行要求」を受信したか否かを判定する（ステップＳ１９）。デジタルカメラ３０２から「記録実行要求」を受信した時点で（ステップＳ１９でＹｅｓ）、その「記録実行要求」で指定されているデジタル画像データに基づいて、指定枚数分だけ記録紙Ｐへの記録を実行（ステップＳ２０）してステップＳ１８へ戻る。そして、デジタルカメラ３０２から「記録終了通知」を受信した場合には（ステップＳ１８でＹｅｓ）、その時点で当該手順を終了する。
【００４９】
このように、ユーザが任意に選択した装置側の「ＵＩ部」にて、デジタルカメラ３０２（デジタル画像処理装置）内のデジタル画像データの中から任意のデジタル画像データを選択する操作と、選択したデジタル画像データに基づいてインクジェット式記録装置５０にて記録紙Ｐへの記録を実行する操作とを行うことができるので、ユーザは使い慣れた或いは好みで使いやすいと感じる方の「ＵＩ部」を操作して記録紙Ｐへのデジタル画像の記録を実行することができる。また、記録を実行しようとしているデジタル画像データの種類や解像度、デジタルカメラ３０２に保存されているデジタル画像データの数、或いは記録実行時の環境条件等に応じて臨機応変に使い分けるといったことも可能になる。さらには、デジタルカメラ３０２又はインクジェット式記録装置５０のいずれか一方の「ＵＩ部」に故障等の不具合が発生した場合には、正常な方の「ＵＩ部」を選択して記録を実行することができる。さらには、デジタルカメラ３０２がＤＳＣバッテリ１３１を電源として動作している場合には、インクジェット式記録装置５０の「ＵＩ部」を選択して使用することにより、ＤＳＣバッテリ１３１のバッテリ消費を抑えて長持ちさせるといったことも可能になる。
【００５０】
このようにして、デジタルカメラ３０２（デジタル画像処理装置）とインクジェット式記録装置５０（記録装置）とを情報伝送可能に接続した記録システム１０（デジタル画像記録システム）において、記録実行操作時のユーザの利便性を向上させることができる。
【００５１】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５２】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】本発明に係る記録システムの概略の電源系統図である。
【図５】本発明に係る記録システムのデータ転送手順を示したものである。
【図６】本発明に係る記録システムのデータ転送手順を示したものである。
【図７】デジタルカメラの制御手順を示したフローチャートである。
【図８】インクジェット式記録装置の制御手順を示したフローチャートである。
【符号の説明】
【００５３】
１０  記録システム、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、５９  キャッピング装置、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、２００  カードスロット、３０１  パーソナルコンピュータ、３０２  デジタルカメラ、３０３  携帯電話端末、Ｐ  記録紙、Ｘ  主走査方向、Ｙ  副走査方向
【図１】
2006217133.tif 000003
【図２】
2006217133.tif 000004
【図３】
2006217133.tif 000005
【図４】
2006217133.tif 000006
【図５】
2006217133.tif 000007
【図６】
2006217133.tif 000008
【図７】
2006217133.tif 000009
【図８】
2006217133.tif 000010